【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
複合タイロッド（５０）であって、
第１端部および第２端部を有する本体（５２）と、
一対のロッド端部（５４）であって、各々が、タイロッド上の取り付け点を形成しているロッド端部と、
ロッド端部を本体の第１端部および第２端部にそれぞれ固定接続するための一対の取り付け具（５６）と
を含み、
前記本体が、固体マトリクス内に保持されているインターレース加工されたフィラメント（６８，７０）から形成される開放格子タイロッド本体（５２）であることを特徴とする、複合タイロッド。
【請求項２】
フィラメント（６８，７０）の少なくともいくつかが、本体（５２）の第１端部および第２端部（５４）を超えて延在しており、かつ、
取り付け具（５６）の各々が、フィラメントの少なくともいくつかを締め付けるための手段を含んでいる、
請求項１に記載の複合タイロッド（５０）。
【請求項３】
取り付け具（５６ａ）の各々が、第１部分および第２部分（７８，８４）を含み、かつ、
フィラメント（６８，７０）の少なくともいくつかが、本体（５２）の各端部（５４）を超えて延在しており、かつ、取り付け具の１つの第１部分と第２部分（７８，８４）との間に締め付けられているフィラメント延長部分（６８ａ）を含んでいる、
請求項１に記載の複合タイロッド（５０）。
【請求項４】
取り付け具（５６ａ）の各々の第１部分（７８）が、本体（５２）の端部の１つに留められており、かつ、
取り付け具の他方の部分（８４）が、ロッド端部の１つを含み、かつ、取り付け具の第１部分（７８）に締結されている、
請求項３に記載の複合タイロッド（５０）。
【請求項５】
取り付け具の第１部分（７８）が、フィラメント延長部分（６８ａ）をそれぞれ受容するための溝（８２）を内部に含んでおり、かつ、
取り付け具の各々が、取り付け具の第２部分（８４）を第１部分にねじ止めすることを可能とするねじ山（８０，８０ａ）を含んでいる、
請求項４に記載の複合タイロッド（５０）。
【請求項６】
取り付け具の各々の第２部分（８４）と、対応するロッド端部とが、一体に形成されている、請求項４に記載の複合タイロッド（５０）。
【請求項７】
取り付け具の各々の第１部分（７８）が、概して先細りしている、請求項４に記載の複合タイロッド（５０）。
【請求項８】
ロッド端部（５４）の各々が、対応する取り付け具（５６）にねじ山（８０）によって接続されている、請求項４に記載の複合タイロッド（５０）。
【請求項９】
取り付け具（５６）の各々が、その内部に一組の貫通穴（１１６）を含み、かつ、
フィラメントの少なくともいくつかが、本体（５２）の各端部を超えて延在するフィラメント延長部分を含み、これらのフィラメント延長部分が、貫通穴（１１６）を通過して、取り付け具に締結されている、請求項１に記載の複合タイロッド（５０）。
【請求項１０】
複合タイロッド（５０）を製造する方法であって、
固体マトリクス内に保持された連続フィラメント（６８，７０）をインターレース加工することを含む、開放格子複合タイロッド本体（５２）を形成することと、
フィラメントの少なくともいくつかを取り付け具（５６）に締結することにより本体（５２）の各端部上に取り付け具を留めることと
を含む方法。
【請求項１１】
取り付け具（５６）の各々にタイロッド（５０）上の取り付け点を形成するロッド端部（５４）を留めることをさらに含む、請求項１０に記載の方法。
【請求項１２】
取り付け具（５６）を留めることが、取り付け具内にいくつかのフィラメントを締め付けることを含む、請求項１０に記載の方法。
【請求項１３】
取り付け具（５６）を留めることが、取り付け具内にいくつかのフィラメントを編み込むことを含む、請求項１０に記載の方法。
【請求項１４】
取り付け具（５６）を留めることが、取り付け具の周りにいくつかのフィラメントを巻き付けることを含む、請求項１０に記載の方法。
【請求項１５】
取り付け具（５６）を留めることが、本体（５２）の対向する端部上に取り付け具を締め付けることを含む、請求項１０に記載の方法。
【手続補正２】
【補正対象書類名】明細書
【補正対象項目名】００４４
【補正方法】変更
【補正の内容】
【００４４】
ある例示的実施形態に関して本開示の実施形態を説明してきたが、他の変形例に当業者が想到するであろうから、該特定の実施形態が限定目的ではなく例示目的のものであることは、理解されるべきである。
また、本発明は以下に記載する態様を含む。
（態様１）
固体マトリクス内に保持されているインターレース加工されたフィラメントから形成される開放格子本体であって、第１端部および第２端部を有する本体と、
一対のロッド端部であって、各々が、タイロッド上の取り付け点を形成しているロッド端部と、
ロッド端部を本体の第１端部および第２端部にそれぞれ固定接続するための一対の取り付け具と
を含む複合タイロッド。
（態様２）
フィラメントの少なくともいくつかが、本体の第１端部および第２端部を超えて延在しており、かつ、
取り付け具の各々が、フィラメントの少なくともいくつかを締め付けるための手段を含んでいる、
態様１に記載の複合タイロッド。
（態様３）
取り付け具の各々が、第１部分および第２部分を含み、かつ、
フィラメントの少なくともいくつかが、本体の各端部を超えて延在しており、かつ、取り付け具の１つの第１部分と第２部分との間に締め付けられているフィラメント延長部分を含んでいる、
態様１に記載の複合タイロッド。
（態様４）
取り付け具の各々の第１部分が、本体の端部の１つに留められており、かつ、
取り付け具の他方の部分が、ロッド端部の１つを含み、かつ、取り付け具の第１部分に締結されている、
態様３に記載の複合タイロッド。
（態様５）
取り付け具の第１部分が、フィラメント延長部分をそれぞれ受容するための溝を内部に含んでおり、かつ、
取り付け具の各々が、取り付け具の第２部分を第１部分にねじ止めすることを可能とするねじ山を含んでいる、
態様４に記載の複合タイロッド。
（態様６）
取り付け具の各々の第２部分と、対応するロッド端部とが、一体に形成されている、態様４に記載の複合タイロッド。
（態様７）
取り付け具の各々の第１部分が、概して先細りしている、態様４に記載の複合タイロッド。
（態様８）
ロッド端部の各々が、対応する取り付け具にねじ山によって接続されている、態様４に記載の複合タイロッド。
（態様９）
取り付け具の各々が、その内部に一組の貫通穴を含み、かつ、
フィラメントの少なくともいくつかが、本体の各端部を超えて延在するフィラメント延長部分を含み、これらのフィラメント延長部分が、貫通穴を通過して、取り付け具に締結されている、態様１に記載の複合タイロッド。
（態様１０）
複合タイロッドを製造する方法であって、
マトリクス内に保持された連続フィラメントをインターレース加工することを含む、開放格子複合本体を形成することと、
フィラメントの少なくともいくつかを取り付け具に締結することにより本体の各端部上に取り付け具を留めることと
を含む方法。
（態様１１）
取り付け具の各々にタイロッド上の取り付け点を形成するロッド端部を留めることをさらに含む、態様１０に記載の方法。
（態様１２）
取り付け具を留めることが、取り付け具内にいくつかのフィラメントを締め付けることを含む、態様１０に記載の方法。
（態様１３）
取り付け具を留めることが、取り付け具内にいくつかのフィラメントを編み込むことを含む、態様１０に記載の方法。
（態様１４）
取り付け具を留めることが、取り付け具の周りにいくつかのフィラメントを巻き付けることを含む、態様１０に記載の方法。
（態様１５）
取り付け具を留めることが、本体の対向する端部上に取り付け具を締め付けることを含む、態様１０に記載の方法。